(57)【要約】【課題】ランナーの室内側側部を歪めることなく容易に施工ができ、スタッドの設計の自由度も大きくなるランナーを提供する。【解決手段】ランナー１は、内装ボードをぴったりと貼り付けるために長尺の水平部２の手前側から鉛直の方向に延出した室内側側部３を有し、水平部２の奥側から室内側側部３と対向させて延出した躯体側側部４を有している。この躯体側側部４には、室内側側部３と躯体側側部４とが対向する高さａの範囲内で、その中間高さ位置ではスタッド８の奥行き寸法Ｄよりも小さく、かつ、スタッド８の挿入開口高さ位置では該スタッド８の奥行き寸法Ｄよりも大きくなるように、緩やかに折り曲げられた斜面５を有している。【選択図】  図２
2004346514.tif 000002
【特許請求の範囲】
【請求項１】
建物の躯体壁にふかし壁を設ける際に、スタッドと連結されて内装ボードを取り付けるためのボード下地を構成する長尺のランナーであって、
前記建物の躯体の上面又は躯体の下面に取り付けられる水平部と、
前記水平部の手前側から鉛直に延出する室内側側部と、
前記室内側側部と対向して前記水平部の奥側から延出する躯体側側部と、
で前記スタッドの端部が挿入される断面溝形状に一体形成され、
前記室内側側部と前記躯体側側部とが対向する高さの範囲における両者の内法間隔が、中間高さ位置において前記スタッドの奥行き寸法より小さく、かつ、前記スタッドの挿入開口高さ位置において該スタッドの奥行き寸法よりも大きくなるように、前記躯体側側部が緩やかに折り曲げられている、
ことを特徴とするランナー。
【発明の詳細な説明】
【０００１】
【発明の属する技術分野】
本発明は、建物の躯体壁にふかし壁を設ける際に、内装ボードを取り付けるためのボード下地を構成するランナーに関する。
【０００２】
【従来の技術】
従来からふかし壁は、ＲＣ造のマンション等の建物の躯体壁に設けられることが多い。
図９に示すように、このふかし壁１００は、ふかし壁１００の表部となる内装ボード１２０と、内装ボード１２０を取り付けるボード下地１３０とから形成されている。ボード下地１３０は、建物の躯体壁Ｋに近接して形成されており、天井スラブ下面に取り付けられる上ランナー１３１Ａと床スラブ上面に取り付けられる下ランナー１３１Ｂとに複数のスタッド１３８を連結することにより形成される。
【０００３】
ここで、上ランナー１３１Ａと下ランナー１３１Ｂとには、図１０（ａ）及び図１０（ｂ）に示すように、同一の断面形状のランナー１３１が用いられている。ランナー１３１は、図１０（ａ）に示すように、水平部１３２と、建物の室内側に位置する室内側側部１３３と、建物の躯体壁側に位置する躯体側側部１３４と、から構成され、室内側側部１３３が水平部１３２の手前側から鉛直に延出しており、躯体側側部１３４が水平部１３２の奥側から室内側側部１３３と対向しつつ少し室内側に倒れて延出して、室内側側部１３３と躯体側側部１３４との内法間隔を水平部１３２から遠ざかるほど小さく（図１０（ｂ）においてＬ４＞Ｌ５）して形成されていた。また、スタッド１３８の奥行き寸法Ｄは、室内側側部１３３と躯体側側部１３４との内法間隔と、Ｌ５＜Ｄ＜Ｌ４なる関係にある。（例えば、特許文献１参照。）。
【０００４】
また、このスタッド１３８をランナー１３１（１３１Ａ，１３１Ｂ）に挿入する場合は、図１１（ａ）に示すように、スタッド１３８を室内側に倒した状態で、スタッド１３８の端部をランナー１３１の躯体側側部１３４に当接させつつ室内側側部１３３の頂部にスタッド１３８を掛けている。その後に、図１１（ｂ）に示すように、スタッド１３８の長手方向が鉛直方向を向くように、室内側側部１３３の頂部を回転軸にして躯体壁Ｋ側にねじるように回転させて室内側側部１３３と躯体側側部１３４との間隔を無理やり押し広げ、図１１（ｃ）に示すように、スタッド１３８を水平部１３２の方向に挿入していた。したがって、スタッド１３８は、ランナー１３１（１３１Ａ，１３１Ｂ）に挿入する場合に歪み等を起こさないようにするために高い剛性が求められていた。
【０００５】
【特許文献１】
特開２００２−６１３７１号公報（［００１０］−［００１５］、第２図）
【０００６】
【発明が解決しようとする課題】
しかしながら、このような従来のランナー１３１は、スタッド１３８を挿入するときに、狭くなっているランナー１３１の室内側側部１３３と躯体側側部１３４との間隔を無理やり押し広げるようにねじらなくてはならないため、ランナー１３１の室内側側部１３３が歪む恐れがあり、この場合には、内装ボード１２０の取り付けに支障がでるという恐れがあった。
また、スタッド１３８は、ランナー１３１にねじ込むようにして挿入されるので、剛性を高くする必要があり、そのため、設計の自由度が小さくなっていた。
【０００７】
そこで本発明は、これらの課題を解決するために、ランナーの室内側側部を歪めることなく容易に施工ができ、スタッドの設計の自由度も大きくなるランナーを提供することを目的とする。
【０００８】
【課題を解決するための手段】
本発明は、前記課題を解決すべく構成されるものであり、建物の躯体壁にふかし壁を設ける際に、スタッドと連結されて内装ボードを取り付けるためのボード下地を構成する長尺のランナーであって、前記建物の躯体の上面又は躯体の下面に取り付けられる水平部と、前記水平部の手前側から鉛直に延出する室内側側部と、前記室内側側部と対向して前記水平部の奥側から延出する躯体側側部と、で前記スタッドの端部が挿入される断面溝形状に一体形成され、前記室内側側部と前記躯体側側部とが対向する高さの範囲における両者の内法間隔が、中間高さ位置において前記スタッドの奥行き寸法より小さく、かつ、前記スタッドの挿入開口高さ位置において該スタッドの奥行き寸法よりも大きくなるように、前記躯体側側部が緩やかに折り曲げられている、ことを特徴とする。
【０００９】
本発明によれば、ランナーの室内側側部と躯体側側部との内法間隔が、スタッドの挿入開口高さ位置においてスタッドの奥行き寸法より大きくなっているので、ランナーの室内側側部を無理やり室内側に押し広げることなく、スタッドをランナーにスムーズに挿入し始めることができる。
【００１０】
そして、ランナーの室内側側部と躯体側側部との内法間隔が、スタッドの挿入開口高さ位置から水平部に近づくにつれて小さくなり、中間高さ位置ではスタッドの奥行き寸法よりも小さくなっているので、ランナーの室内側側部と躯体側側部とを徐々に遠ざけるようにランナーを弾性変形させながら、ランナーにスタッドをスムーズに押し込んでいくことができる。最終的には、ランナーの室内側側部と躯体側側部とでスタッドを挟み込んで保持することができる。
これにより、ふかし壁の施工を容易に行うことができる。また、容易にスタッドの挿入が行えるので、スタッドの設計の自由度を大きくすることができる。
【００１１】
【発明の実施の形態】
以下、添付図面に基づき、本発明の好適な実施形態について詳細に説明する。なお、説明において、同一要素には同一符号を用い、重複する説明を省略する。
【００１２】
［第１実施形態］
図１は、本発明の実施形態に係るふかし壁の施工状態を示す斜視図である。図２（ａ）は、本発明の実施形態に係るランナーの一例を示す斜視図であり、（ｂ）は本発明の実施形態に係るランナーの一例を示す断面図である。図３は、ランナーを下階の床スラブの上面とランナー用取付具を介して躯体梁の下面に取り付けた状態を示す斜視図である。図４は、ランナーにスタッドを連結する状態の一例を示す斜視図である。図５（ａ）は、ランナーの斜面にスタッドを当接させた状態を示す断面図であり、（ｂ）は、スタッドを押し込んだ状態を示す断面図であり、（ｃ）は、スタッドの端部をランナーの水平部まで押し込んだ状態を示す断面図である。
【００１３】
［ランナー］
本発明の第１実施形態に係るランナー１は、図１に示すように、Ｓ造の建物の躯体壁Ｋに設けられるふかし壁Ｆに用いられるものであり、このふかし壁Ｆの表部となる内装ボード９を取り付けるボード下地Ｓを構成するものである。
ボード下地Ｓは、上階の床スラブＹ１を支持し、かつ、図示しない柱に架設される断面Ｉ型形状の躯体梁Ｈ１の下フランジの下面Ｄ１にランナー用取付具Ｔを介して取り付けられるランナー１Ａと、その下階の床スラブＹ２の上面に取り付けられるランナー１Ｂと、スタッド８とから構成されており、スタッド８をランナー１Ａとランナー１Ｂとに挿入して連結しつつ建物の躯体壁Ｋに近接して形成されている。このランナー１Ａとランナー１Ｂとは、同一の断面形状のランナー１を用いている。
【００１４】
ランナー用取付具Ｔは、断面コの字型形状であって、躯体梁Ｈ１のフランジ幅よりも短く形成されている。また、ランナー用取付具Ｔは、躯体梁Ｈ１の下フランジの下面であって、躯体梁Ｈ１の長手方向とランナー用取付具Ｔの長手方向とが直交する向きに配置される。
そして、このランナー用取付具Ｔの上面が躯体梁Ｈ１の下フランジの下面に固定され、ランナー用取付具Ｔの下面にランナー１Ａの後述する水平部２が固定される。また、スタッド８をランナー１Ａへ挿入する位置にこのランナー用取付具Ｔを配置することで、ふかし壁Ｆを強固に設置することもできる。
なお、ランナー用取付具Ｔの形状は、これに限られるものではなく、断面Ｉ型形状のものを用いることができる。
また、ランナー用取付具Ｔは省略することができ、ランナー１Ａを直接躯体梁Ｈ１の下フランジの下面に固定することもできる。
【００１５】
ここで、ランナー１は、図２（ａ）に示すように、水平部２と室内側側部３と躯体側側部４とから構成され、図２（ｂ）に示すように、スチール等の金属板を折り曲げて断面溝形状に一体形成されている。
【００１６】
このランナー１は、図２（ｂ）に示すように、内装ボード９（図１参照）をぴったりと取り付けるために長尺の水平部２の手前側の長辺から鉛直の方向に延出した室内側側部３を有している。また、ランナー１は、水平部２の奥側の長辺から室内側側部３と対向させて延出した躯体側側部４を有している。ここで、躯体側側部４は、室内側側部３よりも延出長が大きくなるように形成されている。
【００１７】
また、躯体側側部４は、室内側側部３と躯体側側部４とが対向する高さａの範囲内における両者の内法間隔が、その中間高さ位置においてスタッド８の奥行き寸法Ｄよりも小さく、かつ、スタッド８の挿入開口高さ位置において該スタッド８の奥行き寸法Ｄよりも大きくなるように、緩やかに折り曲げて形成されている。したがって、中間高さ位置から挿入開口高さ位置までは、ゆるやかな斜面５となっており、挿入されたスタッド８の端部がその斜面５に接しながら滑ることができるようになっている。なお、この斜面５は、平面となっているが、曲面で形成することもできる。また、この斜面５は、室内側側部３と躯体側側部４とが対向する高さａの範囲内に形成されている。
【００１８】
スタッド８の挿入開口高さ位置における室内側側部３と躯体側側部４との内法間隔Ｌ３は、スタッド８の奥行き寸法Ｄよりも大きく形成されている。したがって、内法間隔Ｌ３と奥行き寸法Ｄとの関係は、Ｌ３＞Ｄとなっている。
これにより、室内側側部３を歪めることなく、スタッド８の挿入をスムーズに行うことができる。
【００１９】
また、スタッド８の挿入開口高さ位置より水平部２側に位置する中間高さ位置においては、室内側側部３と躯体側側部４との内法間隔Ｌ２が、スタッド８の奥行き寸法Ｄよりも小さく形成されている。したがって、中間高さ位置における内法間隔Ｌ２とスタッド８の奥行き寸法Ｄとの関係は、Ｄ＞Ｌ２となっている。
この中間高さ位置は、スタッド８の挿入開口高さ位置から水平部２の間で室内側側部３と躯体側側部４との内法間隔が最も狭くなる位置である。そのときの室内側側部３と躯体側側部４との内法間隔を間隔Ｌ２としている。
【００２０】
これにより、室内側側部３と躯体側側部４とを徐々に遠ざかるようにランナー１を弾性変形させながらスタッド８をランナー１に容易に挿入することができる。このようにして挿入されるスタッド８は、最終的にはランナー１の室内側側部３と躯体側側部４とで挟持されることとなる。
【００２１】
前記のとおり、スタッド８の奥行き寸法Ｄと、スタッド８の挿入開口高さ位置における内法間隔Ｌ３と、中間高さ位置における内法間隔Ｌ２との関係は、Ｌ３＞Ｄ＞Ｌ２となっている。
【００２２】
そして、水平部２側位置の室内側側部３と躯体側側部４との内法間隔Ｌ１は、中間高さ位置における室内側側部３と躯体側側部４との内法間隔Ｌ２よりも大きく形成されている。したがって、水平部２側位置の内法間隔Ｌ１と、中間高さ位置における内法間隔Ｌ２との関係は、Ｌ１＞Ｌ２となっている。
また、水平部２側位置の室内側側部３と躯体側側部４との内法間隔Ｌ１は、スタッド８の奥行き寸法Ｄよりも大きく形成されている。この水平部２側位置の内法間隔Ｌ１とスタッド８の奥行き寸法Ｄとの関係は、Ｌ１＞Ｄ＞Ｌ２となっている。
【００２３】
このように、室内側側部３と躯体側側部４との内法間隔が、スタッド８の挿入開口高さ位置、中間高さ位置、水平部２側位置、とで、Ｌ１，Ｌ３＞Ｌ２の関係を有しているため、スタッド８をランナー１の水平部２までスムーズに挿入することができ、かつ、室内側側部３と躯体側側部４とでスタッド８を挟持することができる。
【００２４】
［スタッド］
スタッド８は、従来から用いられているものであって、例えば、奥行き寸法Ｄの長尺部材となっている。このスタッド８は、躯体梁Ｈ１の下フランジの下面Ｄ１にランナー用取付具Ｔを介して取り付けられるランナー１Ａと、その下階の床スラブＹ２の上面に取り付けられるランナー１Ｂと、に連結されるものである。ランナー１Ａ及びランナー１Ｂにこのスタッド８を複数連結することで、内装ボード９を取り付けるためのボード下地Ｓを形成することができる。
【００２５】
［施工方法］
次に、このランナー１を用いたふかし壁Ｆの施工方法を説明する。
まず、図３に示すように、ランナー１（１Ａ）を、ランナー用取付具Ｔを介して上階の床スラブＹ１を支持する躯体梁Ｈ１の下フランジの下面Ｄ１に取り付ける。このとき、ランナー１（１Ａ）は、その水平部２を躯体梁Ｈ１の下フランジの下面Ｄ１側に向けつつ躯体側側部４を躯体壁Ｋに向けた状態で、躯体梁Ｈ１の下フランジの下面Ｄ１にランナー用取付具Ｔを介して取り付けられる。そして、ランナー１（１Ｂ）を、その水平部２を下階の床スラブＹ２上面側に向けつつ躯体側側部４を躯体壁Ｋに向けた状態で、下階の床スラブＹ２上面に取り付ける。
【００２６】
そして、図４に示すように、躯体梁Ｈ１の下フランジの下面Ｄ１に取り付けたランナー１（１Ａ）と下階の床スラブＹ２上面に取り付けたランナー１（１Ｂ）にスタッド８を連結する。
このとき、スタッド８は、図５（ａ）に示すように、その端部を室内側側部３の空間６側の表面に沿いながら斜面５に当接される。そして、図５（ｂ）に示すように、そのまま、スタッド８の端部を水平部２の方向に押し込みながら斜面５の表面上で滑らせつつ挿入させる。
【００２７】
このとき、躯体側側部４は、スタッド８の挿入により室内側側部３から遠ざかるように躯体壁Ｋ側に移動しつつ弾性変形が起こり、スタッド８を室内の方向に付勢して、室内側側部３と供にスタッド８を挟持することになる。この作業は、躯体梁Ｈ１の下フランジの下面Ｄ１に取り付けたランナー１（１Ａ）及び下階の床スラブＹ２上面に取り付けたランナー１（１Ｂ）で同時に又は別々に行う。さらに、図５（ｃ）に示すように、スタッド８をランナー１（１Ａ，１Ｂ）の水平部２に当接するまで押し込む。
【００２８】
これらスタッド８を躯体梁Ｈ１の下フランジの下面Ｄ１に取り付けたランナー１（１Ａ）及び下階の床スラブＹ２上面に取り付けたランナー１（１Ｂ）に所定の間隔Ｗで繰り返し連結して、内装ボード９を取り付けるボード下地Ｓを形成する。
ここで、スタッド８には、躯体との一体性を確保するために、躯体壁Ｋとスタッド８とを連結させる図示しない固定具や、発砲ウレタン等を用いることもできる。
【００２９】
そして、図１に示すように、躯体梁Ｈ１の下フランジの下面Ｄ１に取り付けたランナー１（１Ａ）と下階の床スラブＹ２上面に取り付けたランナー１（１Ｂ）と複数のスタッド８とで形成されたボード下地Ｓに内装ボード９を取り付ける。
このようにしてふかし壁Ｆが形成される。
【００３０】
このように本発明のランナー１を構成したことにより、スタッド８をランナー１に挿入して連結する場合であっても、ランナー１の室内側側部３を歪めることがなく、容易にスタッド８をランナー１に挿入することができる。
【００３１】
［第２実施形態］
本発明の第２実施形態に係るランナー１０は、図６（ａ）に示すように、第１実施形態に係るランナー１の躯体側側部４に対して躯体側側部４Ａの形状が異なっている。
【００３２】
ランナー１０の躯体側側部４Ａは、室内側側部３よりも延出長が大きく、かつ、緩やかに折り曲げられて形成されている。
つまり、躯体側側部４Ａは、室内側側部３と躯体側側部４Ａとが対向する高さａの範囲内において、その中間高さ位置における内法間隔Ｌ２がスタッド８の奥行き寸法Ｄよりも小さく、かつ、スタッド８の挿入開口高さ位置における内法間隔Ｌ３が該スタッド８の奥行き寸法Ｄよりも大きくなるように、緩やかに折り曲げて形成されている。そして、水平部２側の室内側側部３と躯体側側部４Ａとの内法間隔Ｌ１が、スタッド８の奥行き寸法Ｄよりも大きく形成されている。
【００３３】
ここで、躯体側側部４Ａの中間高さ位置からスタッド８の挿入開口高さ位置までの斜面５Ａは、室内側側部３と躯体側側部４Ａとが対向する高さａの位置を跨いだ平面となっている。また、躯体側側部４Ａの中間高さ位置から水平部２と連結する端部までは平面となっている。
このランナー１０を例えば下階の床スラブＹ２上面に取り付けて、ふかし壁の表部となる内装ボードを取り付けるボード下地を形成する。
【００３４】
このように、躯体側側部４Ａの斜面５Ａを、スタッド８の挿入開口高さ位置をまたぐように形成しても、スタッド８を容易にランナー１０に挿入することができる。
【００３５】
［第３実施形態］
本発明の第３実施形態に係るランナー２０は、図６（ｂ）に示すように、第１実施形態に係るランナー１の躯体側側部４に対して躯体側側部４Ｂの形状が異なっている。
【００３６】
ランナー２０の躯体側側部４Ｂは、室内側側部３より延出長が小さく、かつ、緩やかに折り曲げて形成されている。
つまり、躯体側側部４Ｂは、室内側側部３と躯体側側部４Ｂとが対向する高さａの範囲内において、その中間高さ位置における内法間隔Ｌ２がスタッド８の奥行き寸法Ｄよりも小さく、かつ、スタッド８の挿入開口高さ位置における内法間隔Ｌ３が該スタッド８の奥行き寸法Ｄよりも大きくなるように、緩やかに折り曲げて形成されている。そして、水平部２側の室内側側部３と躯体側側部４Ｂとの内法間隔Ｌ１が、スタッド８の奥行き寸法Ｄよりも大きく形成されている。
【００３７】
ここで、躯体側側部４Ｂの中間高さ位置からスタッド８の挿入開口高さ位置までの斜面５Ｂは、平面となっている。また、躯体側側部４Ｂの中間高さ位置から水平部２と連結する端部までは平面となっている。
また、中間高さ位置からスタッド８の挿入開口高さ位置までにおいて形成されている斜面５Ｂが、室内側側部３と躯体側側部４Ｂとが対向する高さａの範囲内に形成されている。
このランナー２０を例えば下階の床スラブＹ２上面に取り付けて、ふかし壁の表部となる内装ボードを取り付けるボード下地を形成する。
【００３８】
このように、躯体側側部４Ｂを室内側側部３より小さく延出させて緩やかに折り曲げて形成しても、スタッド８を容易にランナー２０に挿入することができる。
【００３９】
［第４実施形態］
本発明の第４実施形態に係るランナー３０は、図６（ｃ）に示すように、第１実施形態に係るランナー１の躯体側側部４に対して躯体側側部４Ｃの形状が異なっている。
【００４０】
ランナー３０の躯体側側部４Ｃは、室内側側部３より延出長が大きく、かつ、緩やかに折り曲げて形成されている。このとき、緩やかに折り曲げて形成された斜面５Ｃは、湾曲した曲面となっている。この湾曲した斜面５Ｃの曲面は、その曲率半径の中心位置が躯体壁Ｋ側に来るように形成されている。
【００４１】
躯体側側部４Ｃは、室内側側部３と躯体側側部４Ｃとが対向する高さａの範囲内において、その中間高さ位置における内法間隔Ｌ２がスタッド８の奥行き寸法Ｄよりも小さく、かつ、スタッド８の挿入開口高さ位置における内法間隔Ｌ３が該スタッド８の奥行き寸法Ｄよりも大きくなるように、緩やかに湾曲させつつ折り曲げて形成されている。そして、水平部２側の室内側側部３と躯体側側部４Ｃとの内法間隔Ｌ１が、スタッド８の奥行き寸法Ｄよりも大きく形成されている。
【００４２】
ここで、躯体側側部４Ｃの中間高さ位置からスタッド８の挿入開口高さ位置までの斜面５Ｃは、湾曲した曲面となっている。また、躯体側側部４Ｃの中間高さ位置から水平部２と連結する端部までは湾曲した曲面となっている。
また、中間高さ位置からスタッドの挿入開口高さ位置までにおいて形成されている斜面５Ｃが、室内側側部３と躯体側側部４Ｃとが対向する高さａの範囲内に形成されている。
このランナー３０を例えば下階の床スラブＹ２上面に取り付けて、ふかし壁の表部となる内装ボードを取り付けるボード下地を形成する。
【００４３】
このように、躯体側側部４Ｃを室内側側部３より延出長が大きく、かつ、緩やかに湾曲するように折り曲げて斜面５Ｃを形成しても、スタッド８を容易にランナー３０に挿入することができる。
【００４４】
［第５実施形態］
本発明の第５実施形態に係るランナー４０は、図６（ｄ）に示すように、第１実施形態に係るランナー１の躯体側側部４に対して躯体側側部４Ｄの形状が異なっている。
【００４５】
ランナー４０の躯体側側部４Ｄは、室内側側部３より延出長が小さく、かつ、緩やかに折り曲げて形成されている。このとき、緩やかに折り曲げて形成された斜面５Ｄは、湾曲した曲面となっている。この湾曲した斜面５Ｄの曲面は、その曲率半径の中心位置が躯体側に来るように形成されている。
【００４６】
躯体側側部４Ｄは、室内側側部３と躯体側側部４Ｄとが対向する高さの範囲内において、その中間高さ位置における内法間隔Ｌ２がスタッド８の奥行き寸法Ｄよりも小さく、かつ、スタッド８の挿入開口高さ位置における内法間隔Ｌ３が該スタッド８の奥行き寸法Ｄよりも大きくなるように、緩やかに湾曲させつつ折り曲げて形成されている。そして、水平部２側の室内側側部３と躯体側側部４Ｄとの内法間隔Ｌ１が、スタッド８の奥行き寸法Ｄよりも大きく形成されている。
【００４７】
ここで、躯体側側部４Ｄの中間高さ位置からスタッド８の挿入開口高さ位置までの斜面５Ｄは、湾曲した曲面となっている。また、躯体側側部４Ｄの中間高さ位置から水平部２と連結する端部までは湾曲した曲面となっている。
また、中間高さ位置からスタッド８の挿入開口高さ位置までにおいて形成されている斜面５Ｄが、室内側側部３と躯体側側部４Ｄとが対向する高さａの範囲内に形成されている。
このランナー４０を例えば下階の床スラブＹ２上面に取り付けて、ふかし壁の表部となる内装ボードを取り付けるボード下地を形成する。
【００４８】
このように、躯体側側部４Ｄを室内側側部３より延出長が小さく、かつ、緩やかに折り曲げて湾曲させて斜面５Ｄを形成しても、スタッド８を容易にランナー４０に挿入することができる。
【００４９】
［第６実施形態］
本発明の第６実施形態に係るランナー５０は、図６（ｅ）に示すように、第１実施形態に係るランナー１の躯体側側部４に対して躯体側側部４Ｅの形状が異なっている。
【００５０】
ランナー５０の躯体側側部４Ｅは、室内側側部３より延出長が大きく、かつ、緩やかに折り曲げて形成されている。
つまり、躯体側側部４Ｃは、室内側側部３と躯体側側部４Ｅとが対向する高さａの範囲内において、その中間高さ位置における内法間隔Ｌ２がスタッド８の奥行き寸法Ｄよりも小さく、かつ、スタッド８の挿入開口高さ位置における内法間隔Ｌ３が該スタッド８の奥行き寸法Ｄよりも大きくなるように、緩やかに湾曲させつつ折り曲げて形成されている。そして、水平部２側の室内側側部３と躯体側側部４Ｅとの内法間隔Ｌ１が、スタッド８の奥行き寸法Ｄよりも大きく形成されている。
【００５１】
ここで、躯体側側部４Ｅの中間高さ位置からスタッド８の挿入開口高さ位置までの斜面５Ｅは、湾曲した曲面となっている。また、躯体側側部４Ｅの中間高さ位置から水平部２と連結する端部までは平面となっている。
また、中間高さ位置からスタッド８の挿入開口高さ位置までにおいて形成されている斜面５Ｅが、室内側側部３と躯体側側部４Ｅとが対向する高さａの範囲内に形成されている。
このランナー５０を例えば下階の床スラブＹ２上面に取り付けて、ふかし壁の表部となる内装ボードを取り付けるボード下地を形成する。
【００５２】
このように、躯体側側部４Ｅを室内側側部３より延出長が大きく、かつ、緩やかに湾曲するように折り曲げて斜面５Ｅを形成しても、スタッド８を容易にランナー５０に挿入することができる。
【００５３】
［第７実施形態］
本発明の第７実施形態に係るランナー６０は、図６（ｆ）に示すように、第１実施形態に係るランナー１の躯体側側部４に対して躯体側側部４Ｆの形状が異なっている。
【００５４】
ランナー６０の躯体側側部４Ｆは、室内側側部３より延出長が大きく、かつ、躯体側側部４Ｆの中間高さ位置からスタッド８の挿入開口高さ位置までの斜面５Ｆを緩やかに折り曲げて形成されている。
つまり、躯体側側部４Ｆは、室内側側部３と躯体側側部４Ｆとが対向する高さａの範囲内において、その中間高さ位置における内法間隔Ｌ２がスタッド８の奥行き寸法Ｄよりも小さく、かつ、スタッド８の挿入開口高さ位置における内法間隔Ｌ３が該スタッド８の奥行き寸法Ｄよりも大きくなるように、緩やかに折り曲げて形成されている。そして、水平部２側の室内側側部３と躯体側側部４Ｆとの内法間隔Ｌ１が、スタッド８の奥行き寸法Ｄよりも大きく形成されている。
【００５５】
ここで、躯体側側部４Ｆの中間高さ位置からスタッド８の挿入開口高さ位置までの斜面５Ｆは、緩やかに傾斜した平面となっている。また、躯体側側部４Ｆの中間高さ位置から水平部２の方向の所定の位置までは、室内側側部３と平行な平面となっており、その平面から水平部２までは、水平部２に近づくほど室内側側部３と躯体側側部４Ｆとの内法間隔が大きくなる平面となっている。
また、中間高さ位置からスタッド８の挿入開口高さ位置までにおいて形成されている斜面５Ｂが、室内側側部３と躯体側側部４Ｆとが対向する高さａの範囲内に形成されている。
このランナー６０を例えば下階の床スラブＹ２上面に取り付けて、ふかし壁の表部となる内装ボードを取り付けるボード下地を形成する。
【００５６】
このように、躯体側側部４Ｆを室内側側部３より延出長が大きく、かつ、躯体側側部４Ｆの中間高さ位置からスタッド８の挿入開口高さ位置までの斜面５Ｆを緩やかに折り曲げて形成しても、スタッド８を容易にランナー６０に挿入することができる。
【００５７】
以上、本発明について、好適な実施形態の一例を説明した。しかし、本発明は、前記実施形態に限られず、前記の各構成要素については、本発明の趣旨を逸脱しない範囲で、適宜設計変更が可能である。
【００５８】
例えば、本発明のランナー１は、図７に示すように、ＲＣ造又はＳＲＣ造の建物の上階の床スラブＹ１を支持する躯体梁Ｈ２の下面又は下階の床スラブＹ２の上面に取り付けることもできる。この躯体梁Ｈ２の下面Ｄ２にランナー１Ａを取り付け、下階の床スラブＹ２の上面にランナー１Ｂを取り付け、スタッド８をランナー１Ａとランナー１Ｂとに挿入して連結させることによりふかし壁Ｆのボード下地Ｓを形成する。
このように、本発明のランナーを建物の躯体梁Ｈ２の下面Ｄ２と床スラブＹ２の上面に取り付けても、第１実施形態と同様の効果を奏する。
【００５９】
また、本発明のランナー１は、図８に示すように、ＲＣ造又はＳＲＣ造の建物の躯体の上階の床スラブＹ１の下面又は下階の床スラブＹ２の上面に取り付けることもできる。このランナー１を用いたふかし壁Ｆは、躯体の上階の床スラブＹ１にランナー１Ａを取り付け、その下階の床スラブＹ２にランナー１Ｂを取り付け、スタッド８をランナー１Ａとランナー１Ｂとに挿入して連結させることによりボード下地Ｓを形成し、このボード下地Ｓに内装ボード９を取り付けることにより形成される。
このように、本発明のランナー１を建物の躯体の上階の床スラブＹ１の下面と下階の床スラブＹ２の上面に取り付けても、第１実施形態と同様の効果を奏する。
【００６０】
【発明の効果】
本発明は、前記のように構成したので、ランナーの室内側側部と躯体側側部との内法間隔が、スタッドの挿入開口高さ位置においてスタッドの奥行き寸法より大きくなっているので、ランナーの室内側側部を無理やり室内側に押し広げることなく、スタッドをランナーにスムーズに挿入し始めることができる。
【００６１】
そして、ランナーの室内側側部と躯体側側部との内法間隔が、スタッドの挿入開口高さ位置から水平部に近づくにつれて小さくなり、かつ、中間高さ位置ではスタッドの奥行き寸法よりも小さくなっているので、ランナーの室内側側部と躯体側側部とを徐々に遠ざけるようにランナーを弾性変形させながら、ランナーにスタッドをスムーズに押し込んでいくことができる。最終的には、ランナーの室内側側部と躯体側側部とでスタッドを挟み込んで保持することができる。
これにより、ふかし壁の施工を容易に行うことができる。また、容易にスタッドの挿入が行えるので、スタッドの設計の自由度を大きくすることができる。
【図面の簡単な説明】
【図１】本発明の第１実施形態に係るふかし壁の施工状態を示す斜視図である。
【図２】（ａ）は、本発明の第１実施形態に係るランナーの一例を示す斜視図であり、（ｂ）は本発明の第１実施形態に係るランナーの一例を示す断面図である。
【図３】ランナーを下階の床スラブの上面とランナー用取付具を介して躯体梁の下面に取り付けた状態を示す斜視図である。
【図４】ランナーにスタッドを連結する状態の一例を示す斜視図である。
【図５】（ａ）は、ランナーの斜面にスタッドを当接させた状態を示す断面図であり、（ｂ）は、スタッドを押し込んだ状態を示す断面図であり、（ｃ）は、スタッドの端部をランナーの水平部まで押し込んだ状態を示す断面図である。
【図６】（ａ）は、本発明の第２実施形態に係るランナーを示す断面図であり、（ｂ）は、本発明の第３実施形態に係るランナーを示す断面図であり、（ｃ）は、本発明の第４実施形態に係るランナーを示す断面図であり、（ｄ）は、本発明の第５実施形態に係るランナーを示す断面図であり、（ｅ）は、本発明の第６実施形態に係るランナーを示す断面図であり、（ｆ）は、本発明の第７実施形態に係るランナーを示す断面図である。
【図７】本発明の第１実施形態に係るランナーをＳＲＣ構造の躯体梁の下面に取り付けた状態を示す斜視図である。
【図８】本発明の第１実施形態に係るランナーをＲＣ構造の躯体梁の下面に取り付けた状態を示す斜視図である。
【図９】従来のふかし壁の施工状態を示す斜視図である。
【図１０】（ａ）は、従来のランナーを示す斜視図であり、（ｂ）は、従来のランナーを示す断面図である。
【図１１】（ａ）は、従来のランナーにスタッドを挿入する前の状態を示す断面図であり、（ｂ）は、スタッドにより室内側側部と躯体側側部との間隔を広げた状態を示す断面図であり、（ｃ）は、スタッドをランナーの水平部まで挿入した状態を示す断面図である。
【符号の説明】
１、１Ａ、１Ｂ  ランナー
２    水平部
３    室内側側部
４    躯体側側部
５    斜面
６    空間
８    スタッド
９    内装ボード
Ｆ    ふかし壁
Ｋ    躯体壁
Ｓ    ボード下地
Ｔ    ランナー取付用具
Ｈ１、Ｈ２  躯体梁
Ｄ１、Ｄ２  下面
Ｙ１  上階の床スラブ
Ｙ２  下階の床スラブ
【図１】
2004346514.tif 000003
【図２】
2004346514.tif 000004
【図３】
2004346514.tif 000005
【図４】
2004346514.tif 000006
【図５】
2004346514.tif 000007
【図６】
2004346514.tif 000008
【図７】
2004346514.tif 000009
【図８】
2004346514.tif 000010
【図９】
2004346514.tif 000011
【図１０】
2004346514.tif 000012
【図１１】
2004346514.tif 000013